(57)【要約】【課題】使用時・収納時の安定性を向上させた門扉を提供する。【解決手段】門扉固定ユニット２０は、門扉１に固着する丸落し保持金具２１と、該丸落し保持金具２１に係止され、上下方向に移動可能なアンカー２２と、該アンカー２２の先端を挿嵌する貫通孔と、前記アンカー２２の先端を収容し、地面に埋め込んで使用する差込筒部と、を有する別体の丸落し受け金具２３と、からなり、門扉１を閉じた際に、アンカー２２を差込筒部に挿嵌することにより門扉１の位置を固定する。  【選択図】図３
2007303210.tif 000002
【特許請求の範囲】
【請求項１】
左右方向に伸縮自在に開閉できる門扉であって、
上下方向に移動可能なアンカーと、
前記門扉に固着され、前記アンカーを保持する丸落し保持金具と、
前記アンカーの先端を挿嵌する貫通孔と、前記アンカーの先端を収容し、地面に埋め込んで使用する差込筒部と、を有する別体の丸落し受け金具と、
を具備し、
前記門扉を閉じた際に、前記アンカーを前記差込筒部に挿嵌することにより前記門扉の位置を固定することを特徴とする門扉。
【請求項２】
左右方向に伸縮自在に開閉できる門扉であって、
上下方向に移動可能なアンカーと、
前記門扉に固着され、前記アンカーを保持する丸落し保持金具と、
該アンカーの先端を挿嵌する貫通孔と、前記アンカーの先端を収容し、地面に埋め込んで使用する差込筒部と、を有する別体の丸落し受け金具と、
を具備し、
前記門扉を収納した際に、前記アンカーを前記差込筒部に挿嵌することにより前記門扉の位置を固定することを特徴とする門扉。
【請求項３】
前記差込筒部の下端に土抜き用の孔が穿設されていることを特徴とする請求項１又は２に記載の門扉。
【請求項４】
前記門扉が、使用時には略中央部分で連結され、収納時には左右両開きできる２つの門扉部からなっていることを特徴とする請求項１乃至３に記載の門扉。
【請求項５】
前記門扉が、左右方向に伸縮可能なパンタグラフ式の門扉部で構成されていることを特徴とする請求項１乃至４に記載の門扉。
【発明の詳細な説明】
【技術分野】
【０００１】
本発明は、土木や建築関係の施工現場、あるいは各種イベントが開催される催場等で使用される門扉に関するものである。
【背景技術】
【０００２】
通常、土木工事の現場や建築現場等では、部外者が施工現場に無許可で進入して事故を起こしたり、施工中に土砂や施工材料等が外部に飛散するのを防止するために、組立式仮設フェンスが施設されている。そして、この仮設フェンスの一部には、施工現場に土砂や施工材料を運ぶトラックや作業員の通り道を確保するため、開閉自在の門扉が取り付けられている。
【０００３】
門扉は、横方向に伸縮自在に開閉できるパンタグラフ式のものが一般的に用いられている。通常は、２本の支柱の間に、パンタグラフ式の２つの門扉が配置される。２つの門扉は、それぞれの支柱にその一端が固定されており、中央付近で開閉できるようになっている。門扉の下端の数箇所には、キャスターが取り付けられており、左右に伸縮自在に動かすことができる。
【０００４】
門扉を開く際には、中央付近で締結された２つの門扉を左右に縮めることにより開く。門扉を開いた際には、左右それぞれの門扉は左右の支柱付近に収納される。一方、門扉を閉じる際には、左右の支柱付近に収納された門扉を伸ばして、中央部で締結することにより閉じる。そして、工事中は、この門扉を開けてトラックや人が通れるようにし、その日の工事が終わったら門扉を閉めて人が出入りできないようにする。
【０００５】
また、例えば、特許文献１には、工事現場の出入り口の幅を工事の状況に対応して変更することができ、開閉の際スムースに走行すると同時に、伸縮枠が変形しない仮設用門扉が示されている。この門扉においては、キャスターを有する連結支杆の連結孔を垂直長孔に形成することにより、他の連結支杆と上下方向に移動可能に接続されている。したがって、床面の勾配や凹凸があった場合にもスムースに開閉でき、伸縮枠が変形しない。
【特許文献１】特開平０６−１４６７５８号公報
【発明の開示】
【発明が解決しようとする課題】
【０００６】
ところで、施工現場ではなく、施設などに常設される門扉には、キャスターの通り道として金属製のレールが敷かれていることが多い。そして、パンタグラフ式の門扉を左右に開く際には、キャスターがそのレール上を移動する。しかしながら、特許文献１にも示すような施工現場で用いる門扉には、仮設ゆえ、常設の門扉に多く用いられているキャスターの通り道であるレールを設けてはいない。したがって、門扉のキャスターは、土の上をガタガタと左右に動くことになる。
【０００７】
そして、門扉を閉じてあるとき（門扉使用時）に、門扉を人が誤って押したり、地面が傾いていたり、又は風の影響で、門扉が手前側もしくは奥側に膨らむようにして突出してしまうことがある。以下、図を参照して説明する。図６は、従来の門扉の形状を示す上面図である。図６（ａ）、図６（ｂ）には、仮設用フェンス３０が両サイドにくの字型に配置されている。両サイドの仮設用フェンス３０の間には、従来の仮設用の門扉３１が配置されている。図６に示すように、従来の仮設用の門扉３１は、門扉を人が誤って押したり、地面が傾いていたり、又は風の影響で、手前側もしくは奥側に膨らむようにして突出してしまうことがある。この場合には、敷地内の建物にぶつかったり、道路側にはみ出してしまったりして、交通障害になることもある。また、門扉を開いて左右の支柱付近に収納した際に、地面が傾いていたり、風の影響などで、門扉が伸びてしまい、作業の支障になることもある。
【０００８】
本発明は、このような事情に鑑みてなされたもので、使用時・収納時の安定性を向上させた門扉を提供することを目的としている。
【課題を解決するための手段】
【０００９】
係る目的を達成すべく、本発明のうち請求項１に記載の発明は、左右方向に伸縮自在に開閉できる門扉であって、上下方向に移動可能なアンカーと、前記門扉に固着され、前記アンカーを保持する丸落し保持金具と、前記アンカーの先端を挿嵌する貫通孔と、前記アンカーの先端を収容し、地面に埋め込んで使用する差込筒部と、を有する別体の丸落し受け金具と、を具備し、前記門扉を閉じた際に、前記アンカーを前記差込筒部に挿嵌することにより前記門扉の位置を固定する構成を採用した。
【００１０】
また、請求項２に記載の発明のように、左右方向に伸縮自在に開閉できる門扉であって、  上下方向に移動可能なアンカーと、前記門扉に固着され、前記アンカーを保持する丸落し保持金具と、該アンカーの先端を挿嵌する貫通孔と、前記アンカーの先端を収容し、地面に埋め込んで使用する差込筒部と、を有する別体の丸落し受け金具と、を具備し、前記門扉を収納した際に、前記アンカーを前記差込筒部に挿嵌することにより前記門扉の位置を固定する構成を採用できる。
【００１１】
また、請求項３に記載の発明のように、前記差込筒部の下端に土抜き用の孔が穿設されていることが好ましい。
【００１２】
また、請求項４に記載の発明のように、前記門扉が、使用時には略中央部分で連結され、収納時には左右両開きできる２つの門扉部からなっている構成を採用することもできる。
【００１３】
また、請求項５に記載の発明のように、前記門扉が、左右方向に伸縮可能なパンタグラフ式の門扉部で構成されることもできる。
【発明の効果】
【００１４】
本発明のうち請求項１に記載の発明によれば、門扉を閉めた際に、門扉を人が誤って押したり、地面が傾いていたり、又は風の影響で、門扉が手前側もしくは奥側に膨らむようにして突出してしまうことがなく、門扉の使用時（門扉を閉じた状態）の安定性を向上させることができる。
【００１５】
また、請求項２に記載の発明によれば、門扉を収納した際に、地面が傾いていたり、風の影響などで、門扉が伸縮してしまい、作業の支障になることがなく、門扉の収納時（門扉を開いた状態）の安定性を向上させることができる。
【００１６】
また、請求項３に記載の発明によれば、請求項１、２に記載の発明の効果に加え、差込筒部内に土が入ってしまっても、差込筒部内にアンカーを落とし込むことにより、差込筒部から土を排除することができる。
【００１７】
また、請求項４に記載の発明によれば、使用時には略中央部分で連結され、収納時には左右両開きできる２つの門扉部を有する門扉をその中央部でしっかりと固定できるので、使用時の安定性を向上できる。
【００１８】
また、請求項５に記載の発明によれば、左右方向に伸縮可能なパンタグラフ式の門扉部を使用時・収納時の位置にしっかりと固定できるので、使用時・収納時の安定性を向上できる。
【発明を実施するための最良の形態】
【００１９】
左右方向に伸縮自在に開閉できる門扉であって、上下方向に移動可能なアンカーと、前記門扉に固着され、前記アンカーを保持する丸落し保持金具と、前記アンカーの先端を挿嵌する貫通孔と、前記アンカーの先端を収容し、地面に埋め込んで使用する差込筒部と、を有する別体の丸落し受け金具と、を具備し、前記門扉を閉じた際に、前記アンカーを前記差込筒部に挿嵌することにより前記門扉の位置を固定する。
【実施例１】
【００２０】
以下、本発明の実施の形態を図面に基いて詳細に説明する。
図１は、本発明に係る門扉を閉じた状態を示す正面図である。図２は、本発明に係る門扉の係止部分を示す斜視図である。図３は、本発明に係る門扉固定ユニットの構成を示す分解斜視図である。図４は、アンカーの係止状態を示す図である。図４（ａ）は、アンカーを収納した状態を示す図であり、図４（ｂ）は、アンカーを落とし込んだ状態を示す図である。図５は、本発明に係る門扉を収納した状態を示す正面図である。なお、以下の実施例では、門扉を閉じた状態を使用時、門扉を開いた状態を収納時という。
【００２１】
図１には、本発明に係る門扉１が閉じた状態で地面に設置されている。門扉１は、Ｘ状にアーム２を組み合わせたパンタグラフ部（門扉部）３、４を具備している。図の右方のパンタグラフ部３の端部は、上下に長い柱５、６に摺動可能に固定されている。図の左方のパンタグラフ部４の端部は、上下に長い柱７、８に摺動可能に固定されている。また、パンタグラフ部３、４の中央部には、中央部から下方に延びる柱９が取り付けられている。柱５、６、７、８、９の下方には、地面上を転がるキャスター１０が取り付けられており、門扉１を図の左右方向に伸縮自在に開閉できる。
【００２２】
柱５、６、７、８の上部と下部には、上下に長い長穴１１ａ、１２ａを有する断面コの字型をした門扉ステー１１、１２が設けられている。上方の門扉ステー１１の手前側には、門扉を伸縮する際に手で握ることができる取っ手１７が設けられている。長穴１１ａ、１２ａには、パンタグラフ部３、４の端部が固定されており、パンタグラフ部３、４が開閉されるに従って、アーム２の端部の位置が上下に摺動しても保持できるようになっている。また、柱９の下部には、長穴９ａが設けられており、長穴１１ａ、１２ａと同様に、パンタグラフ部３、４を構成するアーム２の位置が上下に摺動しても保持できるようになっている。さらに、柱５、６、７、８の中央部には、アーム２の中間点を保持するためのアーム保持部材１６が設けられている。
【００２３】
柱６、８の上部には、図２に詳しく示すように、両者を係止するための摺動部材１３、１４が配置されている。摺動部材１３、１４は、柱６、８上を上下に摺動することができる。摺動部材１３の図の手前側には、柱６と柱８とを固定するためのフック１３ａが柱８側に向けて設置されている。摺動部材１４のフック１３ａの位置に対応する箇所には、円筒状をした円筒部材１４ａが設けられている。フック１３ａの先端は、下方に向けて曲げられており、その先端は、円筒部材１４ａの円筒部に嵌合される。門扉１を使用する際には、摺動部材１３を上側に摺動させて、フック１３ａの先端が円筒部材１４ａの上部に来るようにした後、摺動部材１３を下側に摺動させることにより、フック１３ａの先端を円筒部材１４ａに嵌合させて、柱６と柱８の上部とを固定する。なお、柱６、８の下部にも、両者を係止するための摺動部材１３、１４が配置されており、同じように柱６と柱８の下部を固定する。
【００２４】
柱５、７の図の外側には、棒状の支柱１５、１５が地面に立設されている。柱５、７の上部と下部には、柱５、７と支柱１５、１５とを固定するための摺動部材１３が設けられている。摺動部材１３には、フック１３ａが支柱１５、１５側に向けて設置されている。支柱１５、１５の上部と下部のフック１３ａの位置に対応する箇所には、円筒部材１４ａが設けられている。フック１３ａの先端は、下方に向けて曲げられており、その先端は、円筒部材１４ａの円筒部に嵌合されて、柱５、７と支柱１５、１５とを固定する。
【００２５】
この例では、柱６の下部には、門扉固定ユニット２０が配置されている。門扉固定ユニット２０は、図３に示すように、門扉１に固着する丸落し保持金具２１と、該丸落し保持金具２１に係止され、上下方向に移動可能なアンカー２２と、該アンカー２２の先端を挿嵌する貫通孔と、前記アンカー２２の先端を収容し、地面に埋め込んで使用する差込筒部と、を有する別体の丸落し受け金具２３と、からなる。なお、この例では、柱６の下部にのみ門扉固定ユニット２０を配置したが、本発明はこれに限定されるものではなく、例えば、柱８にも門扉固定ユニット２０を配置することもできる。
【００２６】
図３の中央部には、門扉１を構成する柱６の下部が示されている。柱６の下部には、長穴１２ａを有する断面コの字型をした門扉ステー１２が設けられている。柱６の下端には、中空の角柱形状をした門扉脚２４が設けられている。門扉脚２４の２箇所には、上下に貫通孔（図示せず）が設けられており、その貫通孔に通したボルト２５により、キャスター１０が固定されている。
【００２７】
図３の左上方には、門扉１の柱６の下部に固着する丸落し保持金具２１が示されている。丸落し保持金具２１は、中空の角柱形状をした上下方向に長く延び、アンカー２２を保持するアンカー保持筒部２１ａと、断面コの字型をし、門扉に嵌合される門扉脚固定部２１ｂとからなる。
【００２８】
アンカー保持筒部２１ａの図の手前側の一面には、中央付近から上部にかけて切り欠かれた下段アンカー保持部２１ｃが形成されている。アンカー保持筒部２１ａの図の奥側の一面には、上部が切り欠かれた上段アンカー保持部２１ｄが形成されている。上段アンカー保持部２１ｄの下方の図の奥側には、端面が下方に折り曲げられた門扉ステー掛けフック２１ｅが突設されている。丸落し保持金具２１を柱６に固定する際には、この門扉ステー掛けフック２１ｅを門扉ステー１２の上端面に引っ掛けるように保持する。
【００２９】
門扉脚固定部２１ｂの上面には、門扉脚固定部２１ｂを門扉脚２４に嵌合した際に、ボルト２５に接触しないように、抜け穴２１ｆが穿設されている。門扉脚固定部２１ｂの側面には、貫通孔（図示せず）が空けられ、ナット２６が溶接されている。ナット２６には、ボルト２７がねじ込まれており、門扉脚固定部２１ｂを門扉脚２４に嵌合した際に、門扉脚２４をボルト２７で固定する。
【００３０】
丸落し保持金具２１の図の左方には、アンカー２２が示されている。アンカー２２の下端部は、先の尖ったアンカー先端部２２ａが設けられている。アンカー２２の上端部は、略直角に折り曲げられたアンカー上端部２２ｂが設けられている。この例では、アンカー２２の外径はφ１６、長さは３５０ｍｍとなっている。
【００３１】
図３の右方には、丸落し受け金具２３が示されている。丸落し受け金具２３は、略長方形をした板状のベース２３ａと、ベース２３ａの下方に溶接固定された差込筒部２３ｂとからなる。
【００３２】
ベース２３ａの中央部には、アンカー２２を挿嵌するアンカー保持穴２３ｃが穿設されている。この例では、アンカー保持穴２３ｃの径は、φ２０となっている。ベース２３ａのアンカー保持穴２３ｃの両サイドには、差込筒部２３ｂを地面に埋設した際に、丸落し受け金具２３を地面に固定するためにグランドアンカー（図示せず）を固定するためのグランドアンカー固定穴２３ｄ、２３ｄが穿設されている。
【００３３】
差込筒部２３ｂは中空のテーパ状をしており、アンカー２２の先端部２２ａが挿嵌できるようになっている。差込筒部２３ｂは、この例では、大径の部分がφ５０で、小径の部分がφ２４で、長さは１１０ｍｍとなっている。差込筒部２３ｂの下端には、土抜き穴２３ｅが穿設されており、差込筒部２３ｂ内に土が入ってしまっても、アンカー２２を落とし込むことにより、差込筒部２３ｂから土を排除することができるようになっている。
【００３４】
丸落し受け金具２３を設置する際には、まず、アンカー２２を落とし込みたい所に、くいにて地面に穴を開ける。なお、この実施例では、このくいによってできる穴と差込筒部２３ｂの外形とは略一致するようになっている。次に、地面の穴に差込筒部２３ｂを挿入し、地面とベース２３ａの高さが略一定になるように丸落し受け金具２３を埋設する。そして、必要に応じてグランドアンカーをグランドアンカー固定穴２３ｄ、２３ｄに挿嵌し、丸落し受け金具２３を地面に固定する。
【００３５】
図４には、門扉固定ユニット２０が組み立てられた状態が示されている。この例では、丸落し受け金具２３の差込筒部２３ｂは地面に埋設されている。
【００３６】
図４（ａ）においては、アンカー上端部２２ｂが上段アンカー保持部２１ｄ内に納められている。この状態では、アンカー２２は、丸落し受け金具２３の差込筒部２３ｂに挿嵌されておらず、門扉１を自由に移動させることができる。その際、アンカー上端部２２ｂが上段アンカー保持部２１ｄ内にしっかりと納められているので、アンカー２２が脱落してしまうことがない。
【００３７】
図４（ｂ）においては、アンカー上端部２２ｂが下段アンカー保持部２１ｃ内に納められている。この状態では、アンカー２２は、丸落し受け金具２３のアンカー保持穴２３ｃ、及び差込筒部２３ｂに挿嵌されており、門扉１を自由に移動させることはできない。このように、門扉１を固定することにより、門扉１を閉じた時や収納した時に風等により移動してしまうことが無く、設置時の安定性を向上できる。
【００３８】
図５には、門扉１が収納された例が示されている。この図では、図の右方のパンタグラフ部３が縮められおり、柱６が柱５の方に移動している。このパンタグラフ部３を縮めた状態で、柱６に取り付けられたアンカー２２の下部には、丸落し受け金具２３が埋設されている。この位置で、アンカー２２を丸落し受け金具２３の差込筒部２３ｂに挿嵌することにより、門扉１を固定することができる。このように、柱６を縮めた状態でも門扉１を固定することができる。なお、この例のように、パンタグラフ部３を縮めた位置においてアンカー２２で固定することもできるし、縮めた門扉１を図の手前側か奥側に９０度ほど回転させた位置に固定することもできる。このように、丸落し受け金具２３を埋設する位置によって様々な位置に門扉１を固定できる。  
【００３９】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００４０】
本発明に係る門扉は、土木や建築関係の施工現場、あるいは各種イベントが開催される催場等で使用される門扉に適用できる。
【図面の簡単な説明】
【００４１】
【図１】本発明に係る門扉を閉じた状態を示す正面図である。
【図２】本発明に係る門扉の係止部分を示す斜視図である。
【図３】本発明に係る門扉固定ユニットの構成を示す分解斜視図である。
【図４】アンカーの係止状態を示す図である。図４（ａ）は、アンカーを収納した状態を示す図であり、図４（ｂ）は、アンカーを落とし込んだ状態を示す図である。
【図５】本発明に係る門扉を収納した状態を示す正面図である。
【図６】従来の門扉の形状を示す上面図である。
【符号の説明】
【００４２】
１・・・・・・・・・・・門扉
２・・・・・・・・・・・アーム
３、４・・・・・・・・・パンタグラフ部
５、６、７、８、９・・・柱
１０・・・・・・・・・・キャスター
１１、１２・・・・・・・門扉ステー
１１ａ、１２ａ・・・・・長穴
１３、１４・・・・・・・摺動部材
１３ａ・・・・・・・・・フック
１４ａ・・・・・・・・・円筒部材
１５・・・・・・・・・・支柱
１６・・・・・・・・・・アーム保持部材
１７・・・・・・・・・・取っ手
２０・・・・・・・・・・門扉固定ユニット
２１・・・・・・・・・・丸落し保持金具
２１ａ・・・・・・・・・アンカー保持筒部
２１ｂ・・・・・・・・・門扉脚固定部
２１ｃ・・・・・・・・・下段アンカー保持部
２１ｄ・・・・・・・・・上段アンカー保持部
２１ｅ・・・・・・・・・門扉ステー掛けフック
２１ｆ・・・・・・・・・抜け穴
２２・・・・・・・・・・アンカー
２２ａ・・・・・・・・・アンカー先端部
２２ｂ・・・・・・・・・アンカー上端部
２３・・・・・・・・・・丸落し受け金具
２３ａ・・・・・・・・・ベース
２３ｂ・・・・・・・・・差込筒部
２３ｃ・・・・・・・・・アンカー保持穴
２３ｄ・・・・・・・・・グランドアンカー固定穴
２３ｅ・・・・・・・・・土抜き穴
２４・・・・・・・・・・門扉脚
２５・・・・・・・・・・ボルト
２６・・・・・・・・・・ナット
２７・・・・・・・・・・ボルト
【図１】
2007303210.tif 000003
【図２】
2007303210.tif 000004
【図３】
2007303210.tif 000005
【図４】
2007303210.tif 000006
【図５】
2007303210.tif 000007
【図６】
2007303210.tif 000008